(57)【要約】      （修正有）【課題】光線の均一な放射を達成するともに、簡易な構造でＬＥＤチップから発生する光線の色を異なる色に変化させることのできる、複数の発光回路を具える発光ダイオードを提供する。【解決手段】複数のＬＥＤチップの表面を被覆する複数の蛍光層と、光透過性を具える材質によってなり、基板１、複数のＬＥＤチップ、複数の導電線、正極と負極とが対をなす導電支持体５，６、複数の蛍光層とをモールドするモールド部８とによって構成し、該基板の両側に一対の正極と負極とが対をなす導電支持体が設けられ、該複数のＬＥＤチップを該複数の導電線で直列に接続した直列構造の両端を正極の導電支持体と負極の導電支持体にそれぞれ電気的に接続し、該各ＬＥＤチップの表面は該蛍光層によって被覆され、それにより、両面のそれぞれの直列回路を同時に発光させることができるとともに、ＬＥＤチップから放射される光線の色を変化させることができる。【選択図】図１
0003157910.tif 000002
【実用新案登録請求の範囲】
【請求項１】
矩形の導電性を有する材質によってなる基板と、
半導体素子である発光ダイオードチップであり、該基板の両面に設けられる複数のＬＥＤチップと、
導電性を有す材質によってなり、該複数のＬＥＤチップを電気的に接続して、ＬＥＤチップの直列接続を複数組形成する複数の導電線と、
導電性を有する材質によってなる相互に対称な一対の支持体であり、それぞれ基板の両側に設けられ、一対の支持体の一方の下方は正極となるとともに、対をなす他方の下方は負極となり、一対の支持体の各上方は、複数のＬＥＤチップを直列接続した導電線の両端とそれぞれ接続される、正極と負極とが対をなす導電支持体と、
蛍光粉を含むフィルム層であって、該複数のＬＥＤチップの表面を被覆する複数の蛍光層と、
光透過性を具える材質によってなり、該基板、該複数のＬＥＤチップ、該複数の導電線、該正極と負極とが対をなす導電支持体、該複数の蛍光層とをモールドするモールド部と、によって構成し、
該基板の両側に一対の正極と負極とが対をなす導電支持体が設けられ、該複数のＬＥＤチップを該複数の導電線で直列に接続した直列構造の両端を正極の導電支持体と負極の導電支持体にそれぞれ電気的に接続し、該各ＬＥＤチップの表面は該蛍光層によって被覆され、それにより、両面のそれぞれの直列回路を同時に発光させることができるとともに、ＬＥＤチップから放射される光線の色を変化させることができるように構成することを特徴とする複数の発光回路を具える発光ダイオード。
【請求項２】
該基板の外側に少なくとも一対の正極と負極とが対をなす導電支持体を更に増設することができ、複数の直列回路のＬＥＤチップが同時に発光する多面発光構造を構成することができることを特徴とする、請求項１に記載の複数の発光回路を具える発光ダイオード。
【考案の詳細な説明】
【技術分野】
【０００１】
本考案は発光ダイオードに関し、特に複数の発光制御回路を具え、均一な光線の放射を達成する発光ダイオードのパッケージ構造に関する。
【背景技術】
【０００２】
近年、電子産業の革新が進み、環境保護の意識が高まる中、図１５に示すような省電力ＬＥＤランプは、ビデオカメラ、液晶ディスプレイ、ノート型パソコン、交通信号灯、街灯等の各種電子製品に幅広く応用されており、従来のタングステン電球に取って代わってきている。しかし、その高効率で単一のＬＥＤチップを長時間通電させ発光させると、発光の際に伴う高い熱エネルギーによってＬＥＤチップの使用寿命が短くなってしまう。又、そのＬＥＤランプの原理では、導電ピン上方のカップ内にＬＥＤチップを設置するため光線が屈折して前方向に集光し、実際使用する上で単一方向の発光効果しか得ることができず、多方向に均一に発光することはできないため、このＬＥＤランプ構造は理想的な実用化に向けてまだ改善の余地があるといえる。
【考案の概要】
【考案が解決しようとする課題】
【０００３】
本考案は、光線の均一な放射を達成するともに、簡易な構造でＬＥＤチップから発生する光線の色を異なる色に変化させることのできる、複数の発光回路を具える発光ダイオードを提供することを目的とする。
【０００４】
また、本考案は、使用寿命の長い、複数の発光回路を具える発光ダイオードを提供することを目的とする。
【課題を解決するための手段】
【０００５】
そこで、この考案による複数の発光回路を具える発光ダイオードは、矩形の導電性を有する材質によってなる基板と、半導体素子である発光ダイオードチップであり、該基板の両面に設けられる複数のＬＥＤチップと、導電性を有す材質によってなり、該複数のＬＥＤチップを電気的に接続して、ＬＥＤチップの直列接続を複数組形成する複数の導電線と、導電性を有する材質によってなる相互に対称な一対の支持体であり、それぞれ基板の両側に設けられ、一対の支持体の一方の下方は正極となるとともに、対をなす他方の下方は負極となり、一対の支持体の各上方は、複数のＬＥＤチップを直列接続した導電線の両端とそれぞれ接続される、正極と負極とが対をなす導電支持体と、蛍光粉を含むフィルム層であって、該複数のＬＥＤチップの表面を被覆する複数の蛍光層と、光透過性を具える材質によってなり、該基板、該複数のＬＥＤチップ、該複数の導電線、該正極と負極とが対をなす導電支持体、該複数の蛍光層とをモールドするモールド部とによって構成し、該基板の両側に一対の正極と負極とが対をなす導電支持体が設けられ、該複数のＬＥＤチップを該複数の導電線で直列に接続した直列構造の両端を正極の導電支持体と負極の導電支持体にそれぞれ電気的に接続し、該各ＬＥＤチップの表面は該蛍光層によって被覆され、それにより、両面のそれぞれの直列回路を同時に発光させることができるとともに、ＬＥＤチップから放射される光線の色を変化させることができるように構成する。
【考案の効果】
【０００６】
この考案による複数の発光回路を具える発光ダイオードは、均一な光線の放射を達成することができるので、均一な照明を必要とする各種照明具に広く応用することができ、利便性が得られるとともに、ＬＥＤチップの光線の色を変化させ多様な用途に対応させることができるため、産業への応用に係る高い対応性と、広い多様性が得られるという効果を具える。
【０００７】
さらに、この考案による複数の発光回路を具える発光ダイオードは、使用寿命を従来に比して大幅に延長することができ、使用者にとって経済的利益が得られるという利点を有する。
【図面の簡単な説明】
【０００８】
【図１】本考案による発光ダイオードの外観を示した斜視図である。
【図２】図１に開示する発光ダイオードの構造を示した分解図である。
【図３】本考案におけるモールド部の内部構造を示した断面図である。
【図４】本考案における発光制御回路の構造を示した説明図である。
【図５】本考案による発光ダイオードの構造を示した説明図である。
【図６】本考案による発光ダイオードが発光した状態を示した説明図である。
【図７】実施例２における複数の直列回路をもつ発光ダイオードの構造を示した分解図である。
【図８】実施例２における複数の直列回路をもつ発光ダイオードの構造を示した説明図である。
【図９】実施例３における上下段の直列回路をもつ発光ダイオードの構造を示した分解図である。
【図１０】実施例３における上下段の直列回路をもつ発光ダイオードの構造を示した説明図である。
【図１１】実施例４における四直列二回路をもつ発光ダイオードの構造を示した分解図である。
【図１２】実施例４における四直列二回路をもつ発光ダイオードの構造を示した説明図である。
【図１３】実施例５における六直列三回路をもつ発光ダイオードの構造を示した分解図である。
【図１４】実施例５における六直列三回路をもつ発光ダイオードの構造を示した説明図である。
【図１５】従来技術の構造を示した説明図である。
【実施例１】
【０００９】
図１から図６に示すように、本考案による複数の発光回路を具える発光ダイオードは、基板１、複数のＬＥＤチップ２、複数の導電線３、正極と負極とが対をなす導電支持体５、６、複数の蛍光層７、及びモールド部８を含む。
【００１０】
前記基板１は導電性を有する材質によってなり、かつ矩形を呈する板材であって、実施例においては銅板を用いる。前記複数のＬＥＤチップ２は半導体素子である発光ダイオードチップであり、基板１の両面の表面部分に分散して固定される。前記複数の導電線３は導電性を有する線材であり、実施例においては、その両端は各ＬＥＤチップ２に電気的に接続して、複数のＬＥＤチップ２を直列に接続し、かつ直列の両端に位置する導線線３は、その各端が正極と負極とが対をなす導電支持体５、６にそれぞれ接続されて直列接続を形成する。
【００１１】
前記正極と負極とが対をなす導電支持体５、６は、導電性を有する材質によってなる相互に対称な支持体であり、基板１の両側に設置される。一方の導電支持体の下方は正極となるとともに、対をなす他方の導電支持体の下方は負極となり、各導電支持体の上方は、複数のＬＥＤチップ２を直列接続した導電線３の両端とそれぞれ接続される。
【００１２】
複数の蛍光層７は蛍光粉を含むフィルム層であり、各ＬＥＤチップの表面を被覆する。よって、それぞれのＬＥＤチップ２から放射される光線は、蛍光層７を通過することによって色が変化する。
【００１３】
モールド部８は樹脂やシリカゲル等の光透過性を具える材質によってなり、基板１、複数のＬＥＤチップ２、複数の導電線３、正極と負極とが対をなす導電支持体５、６、複数の蛍光層７の全てをモールドしてなる。以上が本考案の主な構造の特徴である。  
【００１４】
即ち、実施例における本考案の複数の発光回路を具える発光ダイオードは、図３から図５に示すように、前記基板１の両側に正極と負極とが対をなす導電支持体５、６が設けられ、前記基板１の表裏両面には複数のＬＥＤチップ２を複数の導電線３で直列に接続した直列構造が一組ずつ構成され、その各直列構造の両端は前記正極の導電支持体と前記負極の導電支持体の上方にそれぞれ電気的に接続する。また、前記各ＬＥＤチップの表面は蛍光層７によって被覆される。それにより、両面のそれぞれの直列回路を同時に発光させることができるとともに、ＬＥＤチップから放射される光線の色を変化させることができる。
【実施例２】
【００１５】
図７及び図８に示すように、別の実施例における本考案の複数の発光回路を具える発光ダイオードは、前記基板１の両側には正極と負極とが対をなす導電支持体５、６が設けられ、前記基板１の表裏両面には複数のＬＥＤチップ２を複数の導電線３で直列に接続した直列構造が二組ずつ構成され、その各直列構造の両端は、前記正極の導電支持体と前記負極の導電支持体の上方にそれぞれ電気的に接続する。それにより、表裏各二組ずつの直列回路のＬＥＤチップを同時に発光させることができる。
【実施例３】
【００１６】
図９及び図１０に示すように、別の実施例における本考案の複数の発光回路を具える発光ダイオードは、前記基板１の両側には少なくとも二対の正極と負極とが対をなす導電支持体５、５Ａ、６、６Ａが設けられ、前記基板１の表裏両面には複数のＬＥＤチップ２を複数の導電線３で直列に接続した直列構造が上下段に分けて二組以上ずつ構成され、表裏両面の上段の直列構造の両端は、一対の正極の導電支持体と負極の導電支持体の上方にそれぞれ電気的に接続し、表裏両面の下段の直列構造の両端は、もう一対の前記正極の導電支持体と前記負極の導電支持体の上方にそれぞれ電気的に接続する。それにより上下段に並列された二つの直列回路が形成される。また、ＩＣで各正極と負極とが対をなす導電支持体を制御することで、各直列回路を交替で発光させることができるようになる。複数のＬＥＤチップ２を交替で発光させることによって、個々のＬＥＤチップ２の発光時間を短縮することができ、ＬＥＤチップ２の使用寿命を延長させることができる。
【実施例４】
【００１７】
図１１及び図１２に示すように、別の実施例における本考案の複数の発光回路を具える発光ダイオードは、四角フレームＢ及び四角台座Ｃを用いて、四組の基板１を併せた四角形の支持体を構成することができる。その四角形の支持体の各端には各正極と負極とが対をなす導電支持体５、６、５Ａ、６Ａが嵌置され、各正極と負極とが対をなす導電支持体５、６、５Ａ、６Ａのそれぞれは正極、負極、正極、負極となる。四組の基板１の表面には複数のＬＥＤチップ２を複数の導電線３で直列に接続した直列構造が一組ずつ構成され、その各直列構造の両端は前記正極の導電支持体と前記負極の導電支持体の上方にそれぞれ電気的に接続する。それにより、四直列二回路が形成され、四面のＬＥＤチップを同時に発光させることができる。
【実施例５】
【００１８】
図１３及び図１４に示すように、別の実施例における本考案の複数の発光回路を具える発光ダイオードは、六角フレームＢ及び六角台座Ｃを用いて、六組の基板１を併せた六角形の支持体を構成することができる。その六角形の支持体の各端には各正極と負極とが対をなす導電支持体５、６、５Ａ、６Ａ、５Ｂ、６Ｂが嵌置され、各正極と負極とが対をなす導電支持体５、６、５Ａ、６Ａ、５Ｂ、６Ｂのそれぞれは正極、負極、正極、負極、正極、負極となる。六組の基板１の表面には複数のＬＥＤチップ２を複数の導電線３で直列に接続した直列構造が一組ずつ構成され、その各直列構造の両端は前記正極の導電支持体と前記負極の導電支持体の上方にそれぞれ電気的に接続する。それにより、六直列三回路が形成され、六面のＬＥＤチップを同時に発光させることができる。
【符号の説明】
【００１９】
１      基板
２      ＬＥＤチップ
３      導電線
５、６、５Ａ、６Ａ、５Ｂ、６Ｂ  導電支持体
７      蛍光層
８      モールド部
【図１】
0003157910.tif 000003
【図２】
0003157910.tif 000004
【図３】
0003157910.tif 000005
【図４】
0003157910.tif 000006
【図５】
0003157910.tif 000007
【図６】
0003157910.tif 000008
【図７】
0003157910.tif 000009
【図８】
0003157910.tif 000010
【図９】
0003157910.tif 000011
【図１０】
0003157910.tif 000012
【図１１】
0003157910.tif 000013
【図１２】
0003157910.tif 000014
【図１３】
0003157910.tif 000015
【図１４】
0003157910.tif 000016
【図１５】
0003157910.tif 000017